(57)【要約】【課題】サウナ対象室を低騒音にするサウナ装置を提供することを目的とする。【解決手段】空気を加熱加湿する加熱加湿手段８と、サウナ対象室１内の空気を排出する換気手段１０と、加熱加湿手段８と換気手段１０を制御する制御手段９を備え、加熱加湿手段８はサウナ対象室１の空気を循環する送風手段１２を介し空気を加熱する加熱手段１３を通過後、空気を加湿する加湿手段１４を経てサウナ対象室１に吹きだす構成であって、加湿手段１４通過後の吹出し風路を屈曲する屈曲部３３を設けることで、サウナ対象室を低騒音にするサウナ装置を提供できる。【選択図】図１
2008180411.tif 000002
【特許請求の範囲】
【請求項１】
空気を加熱加湿する加熱加湿手段と、サウナ対象室内の空気を排出する換気手段と、前記加熱加湿手段と前記換気手段を制御する制御手段を備え、前記加熱加湿手段は前記サウナ対象室の空気を循環する送風手段を介し空気を加熱する加熱手段を通過後、空気を加湿する加湿手段を経てサウナ対象室に吹きだす構成であって、前記加湿手段通過後の吹出し風路を屈曲する屈曲部を設けることを特徴とするサウナ装置。
【請求項２】
吹出し風路を形成する風路壁の屈曲部が連続しないことを特徴とする請求項１記載のサウナ装置。
【請求項３】
屈曲部を、直線的な線でつなぐことを特徴とする請求項１または２記載のサウナ装置。
【請求項４】
屈曲部に、吸音材を貼ることを特徴とする請求項３記載のサウナ装置。
【請求項５】
屈曲部に、水滴回収手段を設けたことを特徴とする請求項１〜４のいずれかに記載のサウナ装置。
【請求項６】
加湿手段通過後の吹出し風路を、略Ｓ字形状とすることを特徴とする請求項１〜５のいずれかに記載のサウナ装置。
【請求項７】
吹出し風路通過後の略逆Ｓ字形状の後縁に、可変風向板を設けることを特徴とする請求項６記載のサウナ装置。
【請求項８】
可変風向板を、吹出し風路に対しワイド形状にしたことを特徴とする請求項７記載のサウナ装置。
【請求項９】
可変風向板に、ウイングを設けることを特徴とする請求項７または８記載のサウナ装置。
【発明の詳細な説明】
【技術分野】
【０００１】
本発明は、浴室内を中温高湿雰囲気にしサウナ浴をするために用いるサウナ装置に関する。
【背景技術】
【０００２】
従来のこの種の噴霧装置を図１７に示す。
【０００３】
従来この種の噴霧装置については、先端部が噴霧方向に湾曲して先端に噴霧口が形成された送風ダクト内に噴霧ノズル１０１を配設し、該噴霧ノズル１０１から噴霧液を噴出して前記噴霧口から吹出す噴霧装置に於いて、噴霧口の上縁に第１エア吹出口１０２を形成すると共に、前記噴霧口の下縁に第２のエア吹出口１０３を形成し、該第１及び第２エア吹出口から吹出されるエアと共に噴霧液を噴霧口から吹出すものが知られていた（例えば、特許文献１参照）。
【特許文献１】特公平６−５１１４０号公報
【発明の開示】
【発明が解決しようとする課題】
【０００４】
しかし、特許文献１に示される噴霧装置には、音の進行方向を屈曲させることが考えられ、吹出し口に曲がり管等を設けることが考えられているが、浴室に使用するサウナ装置にあっては、噴霧の騒音のみならずファンモーターがら発生する風きり音等の送風音が浴室内で反響することによる不快感を生じていた。
【０００５】
また、サウナ空間でリラックスすることや、めがねを掛けて本を読んだりする際に加湿空気の粒が大きく体がべたつく、温度湿度分布が悪いめがねが曇る、本に結露水が滴下するといった不快感を生じていた。
【０００６】
また、衣類乾燥時に乾燥むらが生じるといった不快感を生じていた。
【０００７】
そこで、本発明は、使用時に噴霧による騒音、ファンモーターの送風音が消音されることにより不快感がないサウナ装置を提供することを目的とする。
【０００８】
また、加湿空気を微細化し体のべたつき、温度分布が悪い、めがねの曇り、水滴滴下といった不快感がないサウナ装置を提供することを目的とする。
【０００９】
また、衣類乾燥むらがないサウナ装置を提供することを目的とする。
【課題を解決するための手段】
【００１０】
本発明のサウナ装置は、上記目的を達成するために、空気を加熱加湿する加熱加湿手段と、サウナ対象室内の空気を排出する換気手段と、前記加熱加湿手段と前記換気手段を制御する制御手段を備え、前記加熱加湿手段は前記サウナ対象室の空気を循環する送風手段を介し空気を加熱する加熱手段を通過後、空気を加湿する加湿手段を経てサウナ対象室に吹きだす構成であって、前記加湿手段通過後の吹出し風路を屈曲する屈曲部を設けることを特徴とする。
【００１１】
また、吹出し風路を形成する風路壁の屈曲部が連続しないことを特徴とする。
【００１２】
また、屈曲部を、直線的な線でつなぐことを特徴とする。
【００１３】
また、屈曲部に、吸音材を貼ることを特徴とする。
【００１４】
また、屈曲部に、水滴回収手段を設けたことを特徴とする。
【００１５】
また、加湿手段通過後の吹出し風路を、略Ｓ字形状とすることを特徴とする。
【００１６】
また、吹出し風路通過後の前記略逆Ｓ字形状の後縁に、可変風向板を設けることを特徴とする。
【００１７】
また、可変風向板を、吹出し風路に対しワイド形状にしたことを特徴とする。
【００１８】
また、可変風向板に、ウイング設けることを特徴とする。
【発明の効果】
【００１９】
本発明によれば、中周波音を遮音し低騒音することにより浴室空間を快適にすることができるという効果のあるサウナ装置を提供できる。
【００２０】
また、吹出し空気を微細加湿空気することにより浴室空間を快適にすることができるという効果のあるサウナ装置を提供できる。
【００２１】
また、水滴が水滴回収手段に流れ落ちることにより水滴落下を防止することができるという効果のあるサウナ装置を提供できる。
【００２２】
また、浴室空間の温度湿度分布良化による快適性と浴室内での衣類乾燥における、乾燥むら低減により衣類乾燥時間低減による利便性と消費電力低減による省エネができるという効果のあるサウナ装置を提供できる。
【００２３】
また、浴室の温度分布を均一化することができるという効果のあるサウナ装置を提供できる。
【００２４】
また、吹出し風速を上げることにより浴室床面温度を早期に上昇させることにより使用者に不快感を与えることがなく快適な浴室空間を提供することができるという効果のあるサウナ装置を提供できる。
【発明を実施するための最良の形態】
【００２５】
本発明の請求項１記載によるサウナ装置は、空気を加熱加湿する加熱加湿手段と、サウナ対象室内の空気を排出する換気手段と、前記加熱加湿手段と前記換気手段を制御する制御手段を備え、前記加熱加湿手段は前記サウナ対象室の空気を循環する送風手段を介し空気を加熱する加熱手段を通過後、空気を加湿する加湿手段を経てサウナ対象室に吹きだすことにより、前記加湿手段通過後の吹出し風路を屈曲する屈曲部を設けることを特徴とし、屈曲部で中周波音を遮音し低騒音な加熱加湿空気を吹出し口よりサウナ対象室内に提供することをおこなうという作用を有する。
【００２６】
また、吹出し風路を形成する風路壁の屈曲部が連続しないことにより、屈曲部に衝突した水滴を不連続部で分離することにより微細加湿空気を吹出口よりサウナ対象室内に提供するという作用を有する。
【００２７】
また、屈曲部を、直線的な線でつなぐことにより、ファンモーターより発生する騒音を屈曲部上部の壁面に衝突させ吹出側と反対側に反射することにより遮音されやするという作用を有する。
【００２８】
また、屈曲部に、吸音材を貼ることにより、遮音効果のある吸音材を張るスペースを確保しやすいという作用を有する。
【００２９】
また、屈曲部に、水滴回収手段を設けたことにより、屈曲部に衝突し後、分離した水滴は屈曲面を伝わり水滴回収手段に流れ落ちることにより水滴落下を防止するという作用を有する。
【００３０】
また、加湿手段通過後の吹出し風路を、略Ｓ字形状とすることにより、屈曲部を２度設けることにより、中周波音を遮音し低騒音な加熱加湿空気を吹出し口よりサウナ対象室内に提供するという作用を有する。
【００３１】
また、吹出し風路通過後の略逆Ｓ字形状の後縁に、可変風向板を設けることにより、風向板は左右長手方に軸を持ち片軸は風路内の穴にもう片方の軸はステッピングの軸と同心円状に固定しリモコン動作操作により任意に可変風向板の片軸を支えるステッピングモーターを回転することにより加湿空気の吹出し方向を可変するという作用を有する。
【００３２】
また、可変風向板を、吹出し風路に対しワイド形状にしたことにより吹出し空気が可変風向板の長手方向に広がり浴室の温度分布を均一化するという作用を有する。
【００３３】
また、可変風向板にウイングを設けることにより、可変風向板と吹出開口部との隙間を狭小させ見かけの吹出し開口面積を絞ることにより吹出し風速を上げという作用を有する。
【００３４】
以下、本発明の実施の形態について、図面を参照しながら説明する。
【００３５】
（実施の形態１）
図１〜図５に示すように、浴室等よりなるサウナ対象室１の天井裏空間２にサウナ装置を形成する装置本体３を設け、装置本体３の下面に形成された開口部４は天井開口５を介してサウナ対象室１に連通している。また、装置本体３には水を装置本体３に供給する給水管６および装置本体３から排出される水を排水する排水管７が接続され、サウナ対象室１または装置本体３内部を加熱、加湿する場合には、給水管６を介して市水が装置本体３に送水され、給水管６より供給された市水の一部は加湿として使用され、加湿に使用されなかった水が排水管７より排水されるものである。
【００３６】
また、装置本体３は、一開口面を有した箱状で、内部に空気を加熱加湿する加熱加湿手段８と制御手段９が内蔵され、一方、外部にはサウナ対象室１の空気を屋外に排出する換気手段１０と、換気手段１０と装置本体３を連通および連通する開口形状を調節するダンパー１１を備え、加熱加湿手段８はサウナ対象室１の空気を循環送風する循環送風手段１２と、循環送風する空気を温める加熱手段１３と、循環送風する空気を加湿する加湿手段１４とを有し、一方、制御手段９は、換気手段１０とダンパー１１と循環送風手段１２と加熱手段１３と加湿手段１４と電気的に連結され各々の動作を調節するものである。
【００３７】
サウナ対象室１に面した位置にパネル１５が位置され、パネル１５は吸込口１６と吹出口１７を備えており、循環送風手段１２に備えた循環送風ファン１８が駆動することにより、サウナ対象室１の空気が吸込口１６を介して装置本体３に吸い込まれ循環送風手段１２を通じて加熱加湿手段８の加熱手段１３に送風される。
【００３８】
加熱手段１３は電気加熱ヒーター１９であり、循環送風手段１２により送気される空気は電気加熱ヒーター１９の内部を通過し、加熱されることとなる。電気加熱ヒーター１９は発熱素子（図示せず）と熱伝導フィン（図示せず）により構成されたもので、また、熱伝導フィンは電気加熱ヒーター１９の熱を有効に空気流に伝えるため空気の流れ方向に対し一定の幅を有しているため、空気流が電気加熱ヒーター１９を通過するときに前記熱伝導フィンの幅により整流されることとなる。電気加熱ヒーター１９は、加熱手段１３から加湿手段１４を連結する略角筒形状の加湿部循環風路２０に備えられ、気流方向に対し上部が先頭になる角度で取り付けられている。電気加熱ヒーター１９で整流された空気流は加湿手段１４の上部に備えられたノズル２１の噴射水が衝突する噴射水衝突面２２に集中するような角度で取り付けられている。つまり、循環送風手段１２により送気された空気流は電気加熱ヒーター１９を通過することにより下面に屈曲整流されることとなる。また電気加熱ヒーター１９により空気流は８０℃以上に加熱されるため噴射水衝突面２２には８０℃近くの空気が送られることとなる。
【００３９】
加湿手段１４は、水破砕手段２３としてのノズル２１と噴射水衝突面２２とを備え、一方空気流の下流側には気液分離手段２４と一時水を貯水する貯水部２５から構成されている。ノズル２１はノズル供給配管２６に接続され、ノズル供給配管２６は水道に直結されており常温水がノズル供給配管２６を通じてノズル２１に供給されノズル２１より噴射されることとなる。ノズル２１は略円錐状の表面に水滴が集中して噴射するホロコーンタイプであり、ノズル２１内部で供給水が螺旋状に旋回してノズル２１噴射口より噴射するものであり旋廻時に空気を巻き込むため、他のタイプのノズルと比較して同水圧に対しての噴射流量が少なくてすみ、さらに、ノズルのオリフィス径を大きく取れるためスケール等のつまりに対して効果的であり、一方噴射速度も速いため噴射粒径も細かいものとなる。ノズル２１から噴射された噴射水は下方にある噴射水衝突面２２に衝突しさらに微細化される。微細化された水滴は循環送風手段１２により電気加熱ヒーター１９を通じて８０℃以上に加熱された空気流と交わり加湿空気となる。このとき噴射衝突面２２に衝突した噴射水は微細な水滴を多く含んだものであるため、常温水で噴射しているものではあるが微細な水滴になることで表面積が増大し加熱された空気流と接触する面積が増えるため一部は蒸発し、また一部は空気流に乗り下流側に設置されている気液分離手段２４に導かれる。このように水滴を微細化することにより水滴を蒸発しやすい状態にすることにより、常温水でも十分に加湿性能を上げることができることとなる。
【００４０】
なお、本実施形態１では、水噴霧のノズル２１より噴射した噴射水を用いて水を微細化したが、気液混合で噴射する２流体ノズルを用いてもよく、その作用効果になんら違いはない。
【００４１】
加熱された空気と交わった噴射水滴は一部の１μｍ以上の大粒水滴は加湿部循環風路２０の下面に落下し、一部は気液分離手段２４に侵入することとなる。気液分離手段２４は細い線形のステンレス線がランダムに絡まった形状のものであり、噴射水衝突面２２で衝突し加熱された空気と交わり生成された加湿空気は気液分離手段２４のステンレス線の隙間を通過する際に、大粒水滴がステンレス線に衝突付着し、この付着を繰り返すことにより付着水が大きくなり自重で下部に設けられた貯水部２５に落下することとなる。一方微細な水滴は気液分離手段２４であるステンレス線の隙間を衝突することなく通過し吹出口１７よりサウナ対象室１に吹き出されることとなる。
【００４２】
気液分離手段２４の下部には一時水を貯水する貯水部２５が備えられ、気液分離手段２４で回収された１μｍ以上の大粒水滴を一時貯水することとなる。貯水部２５は電気加熱ヒーター１９から下り勾配を持って位置した噴射水衝突面２２に対し更に下り勾配を持って配置されており、貯水部２５の底面は一部下り勾配を持った底面を形成している。一方貯水部２５の底面は排水口２７に対して下り勾配を持って形成されており貯水部２５に蓄えられた水あるいは温水は排水口２７を通じて装置本体３外部に排出されることとなる。
【００４３】
貯水部２５は、循環送風手段１２により送気される気流の流通路である貯水部循環流通路２８と気流の流通路外となる気流流通路外貯水部２９からなり排水口２７は気流流通路外貯水部２９に備えている。これは排水口２７が貯水部循環流通路２８内にあると循環送風手段１２による空気流も排水口２７に流れてしまい貯水部２５の排水口２７に近傍で空気、水とも乱流が起こりうまく排水されなくなるからである。排水口２７はノズル２１から噴射した水を排水するために十分な口径を有しており、ノズル２１より噴射した水の一部は貯水部２５に一部滞留するが一定時間後排水口２７より装置本体３外部に排出されることとなる。排水口２７から排出された水は自然下り勾配の排水管７の施工により一般的には排水溝等に導かれるが、装置本体３の設置がサウナ対象室１である浴室の天井裏空間２であるため浴室の天井裏縁にリブ等凸部があることも多く、装置本体３の排水口２７に接続する排水管７がサウナ対象室１である浴室の外部の縁に乗り上げ上り勾配になったり、また排水管２７を樹脂管等を用いると角部に角度を設けるときにＲが大きくなり結果部分的に上り勾配になってしまう等の施工不具合により排水ができなくなる場合がある。また排水管７がスケール等で詰まった場合も同様である。このため貯水部２５の一部に溢水検知手段３０としてフロートスイッチが備えられている。溢水検知手段３０は気流流通路外貯水部２９に備えられ、貯水部２５の貯水量が一定値以上となると溢水検知手段３０が満水を検知し電気的に接続された制御手段９に信号を送り、一方、制御手段９は満水検知の信号を受け給水開閉手段である電磁弁（図示せず）に信号を送り給水弁を閉とし給水を止めることによりノズル２１からの噴射を停止させるとともにリモコン（図示せず）に信号を送り異常である信号を表示する。溢水検知手段３０は気流流通路外貯水部２９に備えられているため貯水された水の水面は空気流による波立ち等なく、精度の高い満水検知を行うことができる。一方、貯水部２５は、一定の水を貯水しているため循環送風手段１２により送気され水破砕手段２３で微細化された水滴は一部が貯水面に接触して気液分離手段２４に導かれることとなる。貯水部２５の貯水表面に接触した空気は、乾燥空気の場合は湿度成分を授与し加湿空気として気液分離手段２４に送られ、また大粒水滴を含んだ加湿空気の場合は大粒水滴が水面と接触することにより貯水部２５に吸収されるため、気液分離手段２４に侵入する加湿空気流は大粒水滴がある程度除去された加湿空気として送り込まれることとなる。
【００４４】
気液分離手段２４を通過した加湿空気は微細水滴のみを含んだ加湿空気となり、吹出口１７よりサウナ対象室１に送気されるが、送風空気自体が電気加熱ヒーター１９で高温となっているため吹出口１７からの微細な水滴は結露を抑制した状態でサウナ対象室１内に拡散されることとなり、微細な状態なままサウナ対象室１である浴室内部に広がるため使用者に水滴によるわずらわしさを与えることのない空間となるサウナ対象室１を提供できるので、サウナ対象室１内での読書が可能となり、サウナ対象室１の利用範囲を広げることができ、また水破砕手段２３による水の衝突で水を微細化することにより、レナード効果により負イオンを多く含んだ空気をサウナ対象室１内に送風することができる。
【００４５】
一方、図６で示すように、屈曲部３３を連続的な曲線でつなぐことなく、直線的な線でつなぐことによりファンモーターより発生する騒音を屈曲部３３上部の壁面に衝突させ吹出側と反対側に反射することにより遮音されやすくまた、曲面に吸音材を貼る場合、吸音材の弾力により剥がれ易く、スペースを確保する事が困難であるが、直線的な面にすることにより遮音効果のある吸音材３４を張るスペースを確保やしやすい。
【００４６】
（実施の形態２）
実施の形態１と同じ部分は同じ番号で示し、詳細な説明は省略する。
【００４７】
図６に示すように、加湿空気は屈曲部３３の上部壁面もしくは上部壁面上の吸音材３４と衝突することにより水分を壁面に吸着することにより水分を除去し、屈曲部により除去した水の垂れる方向と吹出し方向を変える、また壁面もしくは吸音材３４に衝突したのエネルギーにより水滴を細分に分離する。
【００４８】
（実施の形態３）
実施の形態１および２と同じ部分は同じ番号で示し、詳細な説明は省略する。
【００４９】
図７に示すように屈曲部３３の外側外周にリブ３５を設け、加湿空気は屈曲部３３の上部壁面と衝突することにより水分を壁面に吸着し水分を除去する。壁面に吸着した水分は壁面を伝わり屈曲部３３のリブ３５に達したのち風路の外側に落ちる。そして水分が除去された空気は屈曲部３３で方向を変え吹出される。また、図８のように外側外周のリブ３６を溝構造にした場合、前述と同様壁面に吸着した水分は壁面を伝わりリブ３５の端面より落ち、その水滴は水滴回収溝３７に入り溝内で自然乾燥する、もしくは溝を沿って風路外に流れ落ちる構造とする。
【００５０】
（実施の形態４）
実施の形態１、２および３と同じ部分は同じ番号で示し、詳細な説明は省略する。
【００５１】
図９に示すように屈曲部３３と屈曲部３８のように屈曲部を２度設け、風路を略Ｓ字形状にすることにより、ファンモーターより発生する騒音を最初の屈曲部３３上部の壁面に衝突させ吹出し側と反対側に反射することにより遮音し、さらに、屈曲部３３を通過した騒音は屈曲部３８下部の壁面に衝突することにより、同様に騒音を吹出し口と反対側に反射させ遮音効果を得る。
【００５２】
また、加湿空気は屈曲部３３の上部壁面と衝突することにより水分を壁面に吸着することにより水分を除去し、屈曲部により除去した水の垂れる方向と吹出し方向を変える、さらに屈曲部３３を通過した加湿空気は屈曲部３８下部壁面と衝突することにより、水分を壁面に吸着させ水分を除去し吹出し方向を変える。また、壁面に衝突したエネルギーにより水滴を細分に分離する。
【００５３】
（実施の形態５）
実施の形態１、２、３および４と同じ部分は同じ番号で示し、詳細な説明は省略する。
【００５４】
図１０、図１１は実施形態５の斜視図、図１２は実施形態の三面図を示す。
【００５５】
図１０、図１１、図１２に示すように風向板３９は左右長手方に軸を持ち片軸は風路内の穴に、もう片方の軸はステッピングモーター４０の軸と同心円状に固定しリモコン操作により任意に可変風向板の片軸を支えるステッピングモーター４０を回転させることにより加湿空気の吹出し方向を可変する。そして、その翼形状は外側翼４２と内側翼４３の２枚で構成され、また２枚の翼形状を支えるリブ４１は中央部をストレートにそして左右に進むに従って緩やかにＲが小さくなる、そして翼形状を通過する風はそのＲに沿うことにより左右に広がる、また内側翼４３の短手を外側翼４２にたいし１／３以下にすることにより、内側翼４３に衝突し損失する圧力を緩和し外側翼４２に沿う風量と吹出し風速を確保する。
【００５６】
（実施の形態６）
実施の形態１、２、３、４および５と同じ部分は同じ番号で示し、詳細な説明は省略する。
【００５７】
図１３、図１５は実施形態６の側面図、正面図、図１４は図１３の断面Ａ−Ａを示す。
【００５８】
吹出し口までの内部風路は実施の形態１で説明した制御手段９や溢水検地手段３０のスペース確保により長手方向に対して制限されるがしかし吹出し開口近傍では制御手段や溢水検地スペースが不要になる。そこで吹出口１７を開口部近傍でそれまでの風路形状から長手方向に対し拡張し開口部を広げる、そして拡張した開口スペースに可変風向板４４を格納する、可変風向板４４には実施の形態５で説明した、外側翼４２、内側翼４３の２枚と２枚の翼形状を支えるリブ４１を備えそのリブは中央部をストレートにそして左右に進むに従って緩やかにＲが小さくなる。内側翼４３は開口拡張前の開口長手寸法に、外側翼形状は拡張後の開口長手寸法にそれぞれ合わせ、そして風路上流より吹出された風はリブ４１に沿い左右に広がりながら外側翼４２に沿って浴室空間に吹出され、吹出し方向に対し垂直方向の温度湿度分布を良化する。
【００５９】
また、吹出口１７の長手方向の開口部拡張を可能にすることにより、開口を広く取った吸込開口４５の長手寸法の延長線上に吹出口１７の長手寸法を重ねることが可能になりデザイン性を良化する。
【００６０】
（実施の形態７）
図１６、図１７は実施形態７の斜視図を示す。
【００６１】
実施の形態１、２、３、４，５および６と同じ部分は同じ番号で示し、詳細な説明は省略する。
【００６２】
内側翼４３の端面に角度をもったウイング４６を備えウイング４６は可変時に吹出し開口部内側を狭小することを可能にする、それによりの吹出口１７の送風面積はウイング４６が掛ることにより変化し風速の強弱変化を可能にする。例えばウイングが図１７の様に屈曲部の延長線上に重なる様に調整することにより風路内の摩擦抵抗を減少し風速が増す、そしてウイング４６上を沿った風の流れは外側翼４２に衝突し外側翼４２に沿って浴室空間に吹出される。浴室の洗い場中央を目標としたときの可変風向板４４の可変位置に対して上述のようにウイングが屈曲部の延長線上になるように設計することにより、床面到達確保の風速を備えることもできるとともに浴室内の温湿度分布も特に浴室内の上下方向に対し良化する。
【産業上の利用可能性】
【００６３】
最寒の北海道の地区では冬の暖房時には必ず加湿をする必要があることから暖房装置と加湿装置を一体に設けた空気調和装置の用途にも適用でき、また、温度制御・湿度制御が可能であるので動植物の育成・保存にも適用できる。
【図面の簡単な説明】
【００６４】
【図１】本発明実施の形態１のサウナ装置の構成を示す概略断面図
【図２】同サウナ装置を設置した状態を示す概略断面図
【図３】同サウナ装置のパネルを外した状態の概略図
【図４】同サウナ装置の構成を示す上面から見た概略断面図
【図５】同サウナ装置の加湿手段の一部を抜粋した斜視図
【図６】本発明の実施の形態２のサウナ装置の吹出し風路の概略図
【図７】本発明の実施の形態３のサウナ装置の吹出し風路の概略図
【図８】同サウナ装置の吹出し風路の概略図
【図９】本発明の実施の形態４のサウナ装置の吹出し風路の概略図
【図１０】本発明の実施の形態５のサウナ装置の吹出し口の概略図
【図１１】同サウナ装置の可変風向板の概略図
【図１２】同サウナ装置の可変風向板の三面図（（ａ）平面図、（ｂ）正面図、（ｃ）側面図）
【図１３】本発明の実施の形態６のサウナ装置の吹出し風路の概略図
【図１４】同サウナ装置の図１３のＡ−Ａ断面図
【図１５】同サウナ装置の正面図
【図１６】本発明の実施の形態７のサウナ装置の可変風向板の概略図
【図１７】同サウナ装置の吹出し風路の概略図
【図１８】従来のサウナ装置を示す内部構造図
【符号の説明】
【００６５】
１    サウナ対象室
８    加熱加湿手段
９    制御手段
１０  換気手段
１２  循環送風手段
１３  加熱手段
１４  加湿手段
１９  電気加熱ヒーター
２０  加湿部循環風路
２１  ノズル
２２  噴射水衝突面
２３  水破砕手段
２４  気液分離手段
２５  貯水部
２６  ノズル供給配管
２７  排水口
２９  気流流通路外貯水部
３０  溢水検知手段
３１  吸水用穴
３２  穴閉塞手段
３３  屈曲部
３４  吸音材
３５  リブ
３６  リブ
３７  水滴回収溝
３８  屈曲部
３９  風向板
４０  ステッピングモーター
４１  リブ
４２  外側翼
４３  内側翼
４４  可変風向板
４５  吸込開口
４６  ウイング
【図１】
2008180411.tif 000003
【図２】
2008180411.tif 000004
【図３】
2008180411.tif 000005
【図４】
2008180411.tif 000006
【図５】
2008180411.tif 000007
【図６】
2008180411.tif 000008
【図７】
2008180411.tif 000009
【図８】
2008180411.tif 000010
【図９】
2008180411.tif 000011
【図１０】
2008180411.tif 000012
【図１１】
2008180411.tif 000013
【図１２】
2008180411.tif 000014
【図１３】
2008180411.tif 000015
【図１４】
2008180411.tif 000016
【図１５】
2008180411.tif 000017
【図１６】
2008180411.tif 000018
【図１７】
2008180411.tif 000019
【図１８】
2008180411.tif 000020